(57)【要約】【課題】光の利用効率を低下させずにプロジェクタの小型化が容易なプロジェクタ用光源を提供する。【解決手段】ランプと、ランプからの放射光を射出開口部から射出させるリフレクタとを有する光源において、前記ランプの周囲に、前記ランプからの放射光をリフレクタの射出方向とは逆の方向に屈折させる光学要素をさらに有することを特徴とするプロジェクタ用光源。前記光学要素としては、円筒状プリズム又は円筒状レンズを好適に用いることができる。【効果】照明用のリレー光学系や投写レンズに必要なＮＡが小さいものでよくなり、プロジェクタの小型化が容易になるという効果がある。【選択図】　図１
2004093653.tif 000002
【特許請求の範囲】
【請求項１】
ランプと、ランプからの放射光を射出開口部から射出させるリフレクタとを有する光源において、前記ランプの周囲に、前記ランプからの放射光をリフレクタの射出方向とは逆の方向に屈折させる光学要素をさらに有することを特徴とするプロジェクタ用光源。
【請求項２】
請求項１に記載のプロジェクタ用光源において、前記光学要素は、円筒状プリズムであることを特徴とするプロジェクタ用光源。
【請求項３】
請求項１に記載のプロジェクタ用光源において、前記光学要素は、円筒状レンズであることを特徴とするプロジェクタ用光源。
【請求項４】
ランプと、ランプからの放射光を射出開口部から射出させるリフレクタとを有する光源において、前記ランプのガラスは、前記ランプ発光部からの放射光をリフレクタの射出方向とは逆の方向に屈折させる作用を有することを特徴とするプロジェクタ用光源。
【請求項５】
請求項１乃至４のいずれかに記載のプロジェクタ用光源において、前記リフレクタは内面が回転放物面形状を有するリフレクタであることを特徴とするプロジェクタ用光源。
【請求項６】
請求項１乃至４のいずれかに記載のプロジェクタ用光源において、前記リフレクタは内面が回転楕円面形状を有するリフレクタであることを特徴とするプロジェクタ用光源。
【請求項７】
請求項１乃至６のいずれかに記載の光源と、この光源からの射出光を変調するための電気光学変調装置と、この電気光学変調装置により変調された画像光を投写するための投写レンズと、を備えたことを特徴とするプロジェクタ。
【請求項８】
請求項１乃至６のいずれかに記載の光源と、この光源からの射出光を複数の色光に分離するための色分離手段と、この色分離手段により分離された複数の色光をそれぞれ変調するための複数の電気光学変調装置と、これら複数の電気光学変調装置により変調された複数の変調光を投写するための投写レンズと、を備えたことを特徴とするプロジェクタ。
【発明の詳細な説明】
【０００１】
【発明が属する技術分野】
本発明はプロジェクタ用光源及びプロジェクタに関する。
【０００２】
【従来の技術】
図８は、従来のプロジェクタの光学系を示す図である。図８に示されるように、このプロジェクタ９０は、照明装置１００と、色分離装置２００と、リレー光学装置２４０と、反射ミラー２２０と、２つのフィールドレンズ２８０Ｒ、２８０Ｇと、３つの液晶パネル３００Ｒ，３００Ｇ，３００Ｂと、ダイクロイックプリズム４００と、投写レンズ５００とを備えている。色分離装置２００は、ダイクロイックミラー２１０，２１２を備えている。リレー光学装置２４０は、入射側レンズ２６２、反射ミラー２５２、リレーレンズ２６４、反射ミラー２５４及びフィールドレンズ２６６Ｂを備えている。
【０００３】
このプロジェクタ９０の照明装置１００は、照明領域である液晶パネル３００Ｒ，３００Ｇ，３００Ｂの有効領域をほぼ均一に照明するためのインテグレータ光学系であって、略平行な光束を出射する光源１１０と、第１のレンズアレイ１２０と、第２のレンズアレイ１３０と、偏光変換素子１４０と、重畳レンズ１５０とを備えている。
【０００４】
図９は、光源１１０の構成を示す図である。図９に示されるように、光源１１０は、光源ランプ１１２と、この光源ランプ１１２から出射された放射光をほぼ平行な光線束として出射するリフレクタ１１４とを備えている。リフレクタ１１４としては内面が回転放物面形状を有するものや内面が回転楕円面形状を有するものが用いられている。また、光源ランプ１１２としては、輝度の高い高圧水銀ランプ等が用いられている。
【０００５】
第１のレンズアレイ１２０は、複数の第１の小レンズを備え、これら複数の第１の小レンズによって光源１１０から出射された光束を複数の部分光束に分割する機能を有している。
【０００６】
第２のレンズアレイ１３０は、複数の第２の小レンズを備え、これら複数の部分光束が集光される位置近傍に配置されている。第２のレンズアレイ１３０も、第１のレンズアレイ１２０の小レンズに対応するように、小レンズが配列された構成を有している。第２のレンズアレイ１３０は、第１のレンズアレイ１２０から出射された各部分光束の中心軸（主光線）が重畳レンズ１５０の入射面に垂直に入射するように構成されている。
【０００７】
偏光変換素子１４０は、第２のレンズアレイ１３０から出射された光束をほぼ一種類の偏光光束（例えばＳ偏光光束）に変換する機能を有している。このため、従来利用されていなかったＰ偏光成分又はＳ偏光成分のいずれか一方の偏光成分をも利用することができ、照度の高い光を、液晶パネル３００Ｒ，３００Ｇ，３００Ｂに照射することが可能となり、その結果、スクリーン上には輝度の高い画像を表示することができる。
【０００８】
重畳レンズ１５０は、偏光変換素子１４０を出射したほぼ一種類の偏光光束（例えばＳ偏光光束）を、液晶パネル３００Ｒ，３００Ｇ，３００Ｂに重畳させる機能を有している。このため、第１のレンズアレイ１２０、第２のレンズアレイ１３０の作用とあいまって、液晶パネル３００Ｒ，３００Ｇ，３００Ｂの有効領域をほぼ均一に照明することができる。
【０００９】
照明装置１００から出射された光は色分離装置２００によって赤、緑及び青の３つの色光に分離され、それぞれの色光は３つの液晶パネル３００Ｒ、３００Ｇ、３００Ｂによって変調され、ダイクロイックプリズム４００によって合成され、この合成光は投写レンズ４００を介してスクリーンＳ上などに投写されることになる。
【００１０】
ところで、近年、プロジェクタにおいては、高輝度化、高画質化とともに装置の小型化が強く求められている。この小型化を達成するための技術の一つに、リフレクタに副鏡を配置する従来技術がある。図１０は、そのような従来技術に係る光源を説明するための図である。図１０に示されるように、この従来技術に係る光源１１０ａは、ランプ１１２と、ランプ１１２からの放射光を射出開口部から射出させるリフレクタ１１４と、リフレクタの射出面外周部に配置された副鏡１１６とを有している。
【００１１】
この副鏡１１６は、リフレクタが内面が回転放物面形状を有するリフレクタである場合には、リフレクタの周辺部分から射出する光をリフレクタ側に反射することによって、リフレクタの周辺部分から射出する光をリフレクタのより内側から射出する光に変換する働きをする。また、この副鏡１１６は、リフレクタが内面が回転楕円面形状を有するリフレクタである場合には、リフレクタの周辺部分から射出する配光角度の大きい光をリフレクタ側に反射することによって、配光角度の大きい光を配光角度の小さい光に変換する働きをする。このため、リフレクタの内面が回転放物面の場合であっても回転楕円面の場合であっても、照明用のリレー光学装置や投写レンズに必要なＮＡが小さいものでよくなり、プロジェクタの小型化が容易になるという効果がある。さらに、この副鏡１１６は、リフレクタ１１４で拾えなかった成分の光をも有効に利用することが可能となるため、光の利用効率が高まるという効果もある。
【００１２】
しかしながら、このリフレクタに副鏡を配置する従来技術においては、副鏡で反射された光の一部はランプのガラス面で不規則に反射してしまう。また、副鏡で反射された光の一部はランプ内部で吸収されてしまう。また、副鏡で反射された光の一部はランプ内部の電極間で蹴られてしまう。さらにまた、リフレクタで反射される回数が多くなるため、反射損が生じてしまう。これらのため、このリフレクタに副鏡を配置する従来技術においては、光利用効率が必ずしも高くならないという問題点があった。
【００１３】
【発明が解決しようとする課題】
そこで、本発明は、光の利用効率を低下させずにプロジェクタの小型化が容易なプロジェクタ用光源を提供することを目的とする。また、本発明は、そのような優れたプロジェクタ用光源を備えた明るく小型のプロジェクタを提供することを目的とする。
【００１４】
【課題を解決するための手段】
本発明の発明者らは、上記課題を解決すべく鋭意努力した結果、ランプの周囲に、前記ランプからの放射光をリフレクタの射出方向とは逆の方向に屈折させる光学要素を配置することによって、照明用のリレー光学装置や投写レンズに必要なＮＡを小さいものにできることを見出し、本発明を完成するに至った。
【００１５】
（１）本発明のプロジェクタ用光源は、ランプと、ランプからの放射光を射出開口部から射出させるリフレクタとを有する光源において、前記ランプの周囲に、前記ランプからの放射光をリフレクタの射出方向とは逆の方向に屈折させる光学要素をさらに有することを特徴とする。
【００１６】
このため、本発明のプロジェクタ用光源によれば、前記光学要素がランプの放射光を射出方向とは逆の方向に屈折させるため、リフレクタが内面が回転放物面形状を有するリフレクタである場合には、リフレクタの周辺部分から射出する光をリフレクタのより内側から射出する光に変換する働きをする。また、リフレクタが内面が回転楕円面形状を有するリフレクタである場合には、配光角度の大きい光を配光角度の小さい光に変換する働きをする。このため、リフレクタの内面が回転放物面の場合であっても回転楕円面の場合であっても、照明用のリレー光学装置や投写レンズに必要なＮＡ（Ｎｕｍｅｒｉｃａｌ　Ａｐｅｒｔｕｒｅ：開口数）が小さいものでよくなり、プロジェクタの小型化が容易になるという効果がある。さらに、この光学要素の働きにより、リフレクタで拾えなかった成分の光をも有効に利用することが可能となるため、光の利用効率が高まるという効果もある。
このため、本発明のプロジェクタ用光源によれば、光の利用効率を低下させずにプロジェクタの小型化を容易にすることができる。
【００１７】
（２）上記（１）に記載のプロジェクタ用光源においては、前記光学要素は、円筒状プリズムであることが好ましい。
【００１８】
円筒状プリズムは、ランプの放射光をリフレクタの射出方向とは逆の方向に屈折させることができるため、上述した（１）の効果を確実なものとすることができる。また、形状が比較的単純であるために、円筒状プリズムの製造は比較的容易であるという効果もある。
【００１９】
（３）上記（１）に記載のプロジェクタ用光源においては、前記光学要素は、円筒状レンズであることも好ましい。
【００２０】
円筒状レンズもランプの放射光をリフレクタの射出方向とは逆の方向に屈折させることができるため、上述した（１）の効果を確実なものとすることができる。また、光の屈折の度合いをレンズ形状で調整することが可能となるために、照明用のリレー光学装置や投写レンズに必要なＮＡをより小さいものにすることができるという効果もある。
【００２１】
（４）本発明のプロジェクタ用光源は、ランプと、ランプからの放射光を射出開口部から射出させるリフレクタとを有する光源において、前記ランプのガラスは、前記ランプ発光部からの放射光をリフレクタの射出方向とは逆の方向に屈折させる作用を有することを特徴とする。
【００２２】
このように構成することにより、ランプ発光部からの放射光をリフレクタの射出方向とは逆の方向に屈折させる光学要素をさらに設ける必要がなくなり、部品点数が少なくなることによる信頼性向上、製造コスト低減が図られる。
【００２３】
（５）上記（１）乃至（４）のいずれかに記載のプロジェクタ用光源においては、前記リフレクタは内面が回転放物面形状を有するリフレクタであるものとすることができる。
【００２４】
このように前記リフレクタが内面が回転放物面形状を有するリフレクタである場合には、リフレクタの周辺部分から射出する光はリフレクタのより内側から射出する光に変わるため、照明用のリレー光学装置や投写レンズに必要なＮＡが小さいものでよくなる。
【００２５】
（６）上記（１）乃至（４）のいずれかに記載のプロジェクタ用光源においては、前記リフレクタは内面が回転楕円面形状を有するリフレクタであるものとすることができる。
【００２６】
このように前記リフレクタが内面が回転楕円面形状を有するリフレクタである場合には、配光角度の大きい光は配光角度の小さい光に変わるため、照明用のリレー光学装置や投写レンズに必要なＮＡが小さいものでよくなる。
【００２７】
（７）本発明のプロジェクタは、上記（１）乃至（６）のいずれかに記載の光源と、この光源からの射出光を変調するための電気光学変調装置と、この電気光学変調装置により変調された画像光を投写するための投写レンズと、を備えたことを特徴とする。
【００２８】
このため、本発明のプロジェクタにおいては、照明用のリレー光学装置や投写レンズに必要なＮＡが小さいものでよくなるため、これらに含まれる光学要素を小型化でき、小型化が容易なプロジェクタとなる。また、光の利用効率が高まるため、高輝度化が容易なプロジェクタとなる。
【００２９】
（８）本発明のプロジェクタは、上記（１）乃至（６）のいずれかに記載の光源と、この光源からの射出光を複数の色光に分離するための色分離手段と、この色分離手段により分離された複数の色光をそれぞれ変調するための複数の電気光学変調装置と、これら複数の電気光学変調装置により変調された複数の変調光を投写するための投写レンズと、を備えたことを特徴とする。
【００３０】
このため、本発明のプロジェクタにおいては、フルカラーのプロジェクタにおいても、上記した（７）の場合と同様に、小型化及び高輝度化が容易なプロジェクタとなる。
【００３１】
【発明の実施の形態】
以下、図面を用いて、本発明の実施の形態を説明する。
【００３２】
（実施形態１）
図１は、実施形態１に係るプロジェクタ用光源を説明するための図である。図１（ａ）は、プロジェクタ用光源の断面図であり、図１（ｂ）は、プロジェクタ用光源の要部を拡大した図である。図１に示されるように、このプロジェクタ用光源１０は、ランプ１２と、ランプ１２からの放射光を射出開口部から射出させるリフレクタ１４とを有している。そして、このプロジェクタ用光源１０は、ランプ１２の周囲に、ランプ１２からの放射光をリフレクタ１４の射出方向とは逆の方向に屈折させる円筒状プリズム１６をさらに有している。なお、プロジェクタ用光源１０のリフレクタ１４は内面が回転放物面形状をしたリフレクタである。
【００３３】
図２は、実施形態１に係るプロジェクタ用光源１０の作用を説明するための図である。図２において、符号ｆは回転放物面の焦点を示し、符号１８は照明領域を示す。図２に示されるように、実施形態１に係るプロジェクタ用光源１０においては、円筒状プリズム１６がランプ１２の放射光を射出方向とは逆の方向に屈折させるため、リフレクタ１４の周辺部分から射出する光（破線で表示）をリフレクタ１４のより内側から射出する光（実線で表示）に変換する働きをする。このため、照明用のリレー光学装置や投写レンズに必要なＮＡが小さいものでよくなり、プロジェクタの小型化が容易になるという効果がある。さらに、この円筒状プリズム１６の働きにより、リフレクタ１４で拾えなかった成分の光をも有効に利用することが可能となるため、光の利用効率が高まるという効果もある。このため、実施形態１に係るプロジェクタ用光源１０によれば、光の利用効率を低下させずにプロジェクタの小型化を容易にすることができる。円筒状プリズム１６は形状が比較的単純であるために、製造は比較的容易である。
【００３４】
（実施形態２）
図３は、実施形態２に係るプロジェクタ用光源を説明するための図である。図３（ａ）は、プロジェクタ用光源の断面図であり、図３（ｂ）は、プロジェクタ用光源の要部を拡大した図である。図３に示されるように、このプロジェクタ用光源２０は、ランプ２２と、ランプ２２からの放射光を射出開口部から射出させるリフレクタ２４とを有している。そして、このプロジェクタ用光源２０は、ランプ２２の周囲に、ランプ２２からの放射光をリフレクタ２４の射出方向とは逆の方向に屈折させる円筒状レンズ２６をさらに有している。なお、プロジェクタ用光源２０のリフレクタ２４は内面が回転放物面形状をしたリフレクタである。
【００３５】
このため、実施形態２に係るプロジェクタ用光源２０においては、円筒状レンズ２６がランプ２２の放射光を射出方向とは逆の方向に屈折させるため、リフレクタ２４の周辺部分から射出する光をリフレクタ２４のより内側から射出する光に変換する働きをする。このため、照明用のリレー光学装置や投写レンズに必要なＮＡが小さいものでよくなり、プロジェクタの小型化が容易になるという効果がある。さらに、この円筒状レンズ２６の働きにより、リフレクタ２４で拾えなかった成分の光をも有効に利用することが可能となるため、光の利用効率が高まるという効果もある。このため、実施形態２に係るプロジェクタ用光源２０によれば、光の利用効率を低下させずにプロジェクタの小型化を容易にすることができる。円筒状レンズ２６は、光の屈折の度合いをレンズ形状で調整することが可能となるために、照明用のリレー光学装置や投写レンズに必要なＮＡをより小さいものにすることができる。
【００３６】
（実施形態３）
図４は、実施形態３に係るプロジェクタ用光源を説明するための図である。図４（ａ）は、プロジェクタ用光源の断面図であり、図４（ｂ）は、プロジェクタ用光源の要部を拡大した図である。図４に示されるように、このプロジェクタ用光源３０は、ランプ３２と、ランプ３２からの放射光を射出開口部から射出させるリフレクタ３４とを有している。そして、このプロジェクタ用光源３０は、ランプ３２の周囲に、ランプ３２からの放射光をリフレクタ３４の射出方向とは逆の方向に屈折させる円筒状プリズム３６をさらに有している。なお、プロジェクタ用光源３０のリフレクタ３４は内面が回転楕円面形状をしたリフレクタである。
【００３７】
図５は、実施形態３に係るプロジェクタ用光源３０の作用を説明するための図である。図５において、符号ｆ１は回転楕円面の第１焦点を示し、符号ｆ２は回転楕円面の第２焦点を示し、符号３６はレンズを示し、符号３８は照明領域を示す。図５に示されるように、実施形態３に係るプロジェクタ用光源３０においては、円筒状プリズム３６がランプ３２の放射光を射出方向とは逆の方向に屈折させるため、配光角度の大きい光（破線で表示）を配光角度の小さい光（実線で表示）に変換する働きをする。このため、照明用のリレー光学装置や投写レンズに必要なＮＡが小さいものでよくなり、プロジェクタの小型化が容易になるという効果がある。さらに、この円筒状プリズム３６の働きにより、リフレクタ３４で拾えなかった成分の光をも有効に利用することが可能となるため、光の利用効率が高まるという効果もある。このため、実施形態３に係るプロジェクタ用光源３０によれば、光の利用効率を低下させずにプロジェクタの小型化を容易にすることができる。円筒状プリズム３６は形状が比較的単純であるために、製造は比較的容易である。
【００３８】
（実施形態４）
図６は、実施形態４に係るプロジェクタ用光源を説明するための図である。図６（ａ）は、プロジェクタ用光源の断面図であり、図６（ｂ）は、プロジェクタ用光源の要部を拡大した図である。図６に示されるように、このプロジェクタ用光源４０は、ランプ４２と、ランプ４２からの放射光を射出開口部から射出させるリフレクタ４４とを有している。そして、このプロジェクタ用光源４０は、ランプ４２の周囲に、ランプ４２からの放射光をリフレクタ４４の射出方向とは逆の方向に屈折させる円筒状レンズ４６をさらに有している。なお、プロジェクタ用光源４０のリフレクタ４４は内面が回転楕円面形状をしたリフレクタである。
【００３９】
このため、実施形態４に係るプロジェクタ用光源４０においては、円筒状レンズ４６がランプ４２の放射光を射出方向とは逆の方向に屈折させるため、配光角度の大きい光を配光角度の小さい光に変換する働きをする。このため、照明用のリレー光学装置や投写レンズに必要なＮＡが小さいものでよくなり、プロジェクタの小型化が容易になるという効果がある。さらに、この円筒状レンズ４６の働きにより、リフレクタ４４で拾えなかった成分の光をも有効に利用することが可能となるため、光の利用効率が高まるという効果もある。このため、実施形態４に係るプロジェクタ用光源４０によれば、光の利用効率を低下させずにプロジェクタの小型化を容易にすることができる。円筒状レンズ４６は、光の屈折の度合いをレンズ形状で調整することが可能となるために、照明用のリレー光学装置や投写レンズに必要なＮＡをより小さいものにすることができる。
【００４０】
なお、上記した実施形態１乃至４においては、ランプの放射光はランプの中心部から放射されるものとして簡略して図示されているが、実際は電極と電極との間の比較的広い所定領域から放射されている。しかしながら、実施形態１乃至４における円筒状プリズムや円筒状レンズの働きによりランプの放射光を射出方向とは逆の方向に屈折させる作用は、ランプの放射光がランプの中心部から放射される場合と同じであり、光の利用効率を低下させずにプロジェクタの小型化を容易にすることができるという効果は変わらない。
【００４１】
（実施形態５）
図７は、実施形態５に係るプロジェクタ用光源を説明するための図である。図７（ａ）は、プロジェクタ用光源の断面図であり、図７（ｂ）は、プロジェクタ用光源の要部を拡大した図である。図７に示されるように、このプロジェクタ用光源５０は、ランプ５２と、ランプ５２からの放射光を射出開口部から射出させるリフレクタ５４とを有している。そして、このプロジェクタ用光源５０は、ランプ５２のガラスが、ランプ発光部からの放射光をリフレクタの射出方向とは逆の方向に屈折させる作用を有する。なお、プロジェクタ用光源のリフレクタ５４は内面が回転放物面形状をしたリフレクタである。
【００４２】
このため、実施形態５に係るプロジェクタ用光源５０においては、ランプ５２のガラスがランプの放射光を射出方向とは逆の方向に屈折させるため、リフレクタ５４の周辺部分から射出する光を、リフレクタ５４のより内側から射出する光に変換する働きをする。このため、照明用のリレー光学装置や投写レンズに必要なＮＡが小さいものでよくなり、プロジェクタの小型化が容易になるという効果がある。さらに、このランプ５２のガラスの働きにより、リフレクタ５４で拾えなかった成分の光をも有効に利用することが可能となるため、光の利用効率が高まるという効果もある。このため、実施形態５に係るプロジェクタ用光源５０によれば、光の利用効率を低下させずにプロジェクタの小型化を容易にすることができる。
また、実施形態５に係るプロジェクタ用光源５０においては、ランプ発光部からの放射光をリフレクタの射出方向とは逆の方向に屈折させる光学要素（円筒状プリズムや円筒状レンズ）をさらに設ける必要がなくなり、部品点数が少なくなることによる信頼性向上、製造コスト低減を図ることができるという効果もある。
なお、プロジェクタ用光源のリフレクタとして内面が回転楕円面形状をしたリフレクタを用いた場合であっても、同様の効果が得られる。
【００４３】
（実施形態６）
本発明の実施形態６に係るプロジェクタは、図８に示されたプロジェクタ９０の光源１１０として、実施形態１又は３に係るプロジェクタ用光源１０，３０を用いたものである。このため、実施形態６に係るプロジェクタは、小型化及び高輝度化が容易なプロジェクタとなる。
【００４４】
（実施形態７）
本発明の実施形態７に係るプロジェクタは、プロジェクタの光源として、実施形態２又は４に係るプロジェクタ用光源２０，４０を用いたものである。このため、実施形態７に係るプロジェクタも、明るく小型化の容易なプロジェクタとなる。
【００４５】
（実施形態８）
本発明の実施形態８に係るプロジェクタは、プロジェクタの光源として、実施形態５に係るプロジェクタ用光源を用いたものである。このため、実施形態８に係るプロジェクタも、明るく小型化の容易なプロジェクタとなる。
【図面の簡単な説明】
【図１】本発明の実施形態１に係るプロジェクタ用光源を説明するための図である。
【図２】本発明の実施形態１に係るプロジェクタ用光源の作用を説明するための図である。
【図３】本発明の実施形態２に係るプロジェクタ用光源を説明するための図である。
【図４】本発明の実施形態３に係るプロジェクタ用光源を説明するための図である。
【図５】本発明の実施形態３に係るプロジェクタ用光源の作用を説明するための図である。
【図６】本発明の実施形態４に係るプロジェクタ用光源を説明するための図である。
【図７】本発明の実施形態５に係るプロジェクタ用光源を説明するための図である。
【図８】プロジェクタの光学系を示す図である。
【図９】従来のプロジェクタ用光源を説明するための図である。
【図１０】従来のプロジェクタ用光源を説明するための図である。
【符号の説明】
１０，２０，３０，４０，５０・・・プロジェクタ用光源
１２，２２，３２，４２，５２・・・ランプ
１４，２４，３４，４４，５４・・・リフレクタ
１６，３６・・・円筒状プリズム
２６，４６・・・円筒状レンズ
９０・・・プロジェクタ
１００・・・照明装置
１１０・・・光源
２００・・・色分離装置
２２０・・・反射ミラー
２４０・・・リレー光学装置
２８０Ｒ、２８０Ｇ、２６６Ｂ・・・フィールドレンズ
３００Ｒ、３００Ｇ、３００Ｂ・・・液晶パネル
４００・・・ダイクロイックプリズム
５００・・・投写レンズ
Ｓ・・・スクリーン
【図１】
2004093653.tif 000003
【図２】
2004093653.tif 000004
【図３】
2004093653.tif 000005
【図４】
2004093653.tif 000006
【図５】
2004093653.tif 000007
【図６】
2004093653.tif 000008
【図７】
2004093653.tif 000009
【図８】
2004093653.tif 000010
【図９】
2004093653.tif 000011
【図１０】
2004093653.tif 000012